Podtech/llm-jp-corpus-v4-ja_patent huggingface dataset:
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
内部体積を有するハウジングを含む熱の貯蔵及び放出デバイスであって、前記デバイスが、ハウジング熱の内部体積基準で少なくとも８ｋＷ／Ｌの、熱伝達流体に伝達される熱の平均初期電力密度を示し、前記平均初期電力密度が最初の３０秒間に亘って規定され、前記平均初期電力密度がハウジング内で２８０℃の初期温度を有するデバイスで測定され、前記熱伝達流体が１０℃の初期温度を有するデバイス。
【請求項２】
ｉ）ハウジング内のカプセルのアレー、このカプセルのアレーは、
ａ）少なくとも２個の対向する、熱エネルギー貯蔵材料（ＴＥＳＭ）を含有し、予定の体積を有する複数のカプセルを含有する第一のカプセル構造体を規定するための、それらのそれぞれの対面する表面の一部の上で互いに接触状態で結合されているプライを含有する、少なくとも１個の第一のアレー部分及び
ｂ）少なくとも２個の対向する、ＴＥＳＭを含有し、予定の体積を有する複数のカプセルを含有する第二のカプセル構造体を規定するための、それらのそれぞれの対面する表面の一部の上で互いに接触状態で結合されているプライを含有する、少なくとも１個の第二アレー部分を含み、そして
ｉｉ）第一のアレーコンポーネントと第二のアレーコンポーネントとの間の体積によって規定される流路を含んでなり、
前記第一のアレーコンポーネントと前記第二のアレーコンポーネントとが、２０ｍｍよりも小さいギャップ厚、ｔギャップによって分離されており、前記デバイスがそれぞれの流路が一般的に非平面状である複数の流路を含んでなる請求項１に記載のデバイス。
【請求項３】
前記ＴＥＳＭが前記ハウジングの内部体積の７０％又はそれ以上を満たしている請求項１又は２に記載のデバイス。
【請求項４】
前記第一のアレーコンポーネントと前記第二のアレーコンポーネントとが、５ｍｍよりも小さいギャップ厚、ｔギャップによって分離されている請求項１〜３のいずれかに記載のデバイス。
【請求項５】
前記熱貯蔵デバイスが少なくとも３０個の個々に単離され、シールされたカプセルを含む請求項１〜４のいずれかに記載のデバイス。
【請求項６】
前記第一のアレー部分が、融解結合、レーザー溶接、摩擦溶接又はこれらの任意の組合せから選択される方法を使用して、第一のプライと第二のプライとを接合することによって形成される請求項１〜５のいずれかに記載のデバイス。
【請求項７】
前記第一のアレー部分が、第一のアレー部分と第二のアレー部分との間にギャップを設けるための、複数の瘤を含有する請求項１〜６のいずれかに記載のデバイス。
【請求項８】
前記第一のアレー部分と第二のアレー部分とが、それらの対面する表面の少なくとも２５％の領域の上で接触状態にあるように、第二のアレー部分が第一のアレー部分の中に嵌め込まれている請求項１〜７のいずれかに記載のデバイス。
【請求項９】
第一のアレー構造体の第一のカプセル、第二のアレー構造体の第一のカプセル及び第一構造体の第二のカプセルを順次的に通過する少なくとも１本の線が存在するように、第一のアレー構造体及び第二のアレー構造体が組み合わされている請求項１〜８のいずれかに記載のデバイス。
【請求項１０】
前記第一のプライがアルミニウム、ステンレススチール又は両方から選択された金属を含有する請求項１〜９のいずれかに記載のデバイス。
【請求項１１】
前記ＴＥＳＭが、１ＭＪ／Ｌよりも大きい、３００℃から８０℃までの熱貯蔵密度を有する請求項１〜１０のいずれかに記載のデバイス。
【請求項１２】
前記断熱ハウジングが断熱容器によって少なくとも部分的に覆われている請求項１〜１１のいずれかに記載のデバイス。
【請求項１３】
前記断熱容器が真空断熱されている請求項１２に記載のデバイス。
【請求項１４】
エンジンを冷間始動するための、請求項１〜１３のいずれかに記載の熱貯蔵デバイスの使用。
【請求項１５】
車両のコックピットを加熱するための、請求項１〜１３のいずれかに記載の熱貯蔵デバイスの使用。
【請求項１６】
太陽熱を貯蔵するための、請求項１〜１３のいずれかに記載の熱貯蔵デバイスの使用。
【請求項１７】
ビルディングを加熱するための、請求項１〜１３のいずれかに記載の熱貯蔵デバイスの使用。
【請求項１８】
エンジンを作動させない間に車両のコックピットを加熱するための、請求項１〜１３のいずれかに記載の熱貯蔵デバイスの使用。
【請求項１９】
ｉ）第一の金属箔を、トラフを有する第一のプライが形成されるように変形する工程、
ｉｉ）前記トラフに、熱エネルギー貯蔵材料（ＴＥＳＭ）を少なくとも部分的に充填する工程、
ｉｉｉ）前記ＴＥＳＭを、一定の時間、ＴＥＳＭが本質的に水を含有しないようにＴＥＳＭの液相線温度よりも高い温度に加熱する工程、
ｉｖ）金属箔の第二のプライを、第一プライの上に、第一のプライの表面と第二のプライの表面とが部分的接触状態になるように置く工程及び
ｖ）ＴＥＳＭを含有する複数のカプセルを含有するブリスター包装が形成され、前記カプセルがお互いに熱伝導関係にあり、そしてＴＥＳＭが、それらの意図される環境内での運転の間にカプセルから逃げるのを防止するように、第一のプライと第二のプライとの対面する表面の一部をシールする工程
を含んでなる熱貯蔵デバイスの製造方法。
【請求項２０】
第一のプライの表面と第二のプライの表面とをシールする工程が拡散結合、蝋付け、熱溶接、接着剤結合、レーザー溶接、超音波溶接又はこれらの任意の組合せからなる群から選択された工程を含む請求項１９に記載の熱貯蔵デバイスの製造方法。
【請求項２１】
前記ＴＥＳＭが工程（ｉｖ）に於いてシールするとき液体である請求項１９又は２０に記載の方法。
【請求項２２】
加熱時間が、前記ＴＥＳＭが少なくとも５分間液体であるような時間である請求項１９〜２１のいずれかに記載の方法。
【請求項２３】
加熱温度がＴＥＳＭの液相線温度よりも少なくとも２５℃高い請求項１９〜２２のいずれかに記載の方法。
【請求項２４】
前記ＴＥＳＭが金属亜硝酸塩、金属硝酸塩又はこれらの組合せを含む請求項１９〜２３のいずれかに記載の方法。
【請求項２５】
前記ＴＥＳＭがリチウム塩、ナトリウム塩、カリウム塩又はこれらの任意の組合せを含む請求項１９〜２４のいずれかに記載の方法。
【請求項２６】
前記加熱が最大１Ｐａの水の分圧を有する雰囲気下で実施される請求項１９〜２５のいずれかに記載の方法。
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
複数成分流れにおける対象物の選択操作システムであって、
流体キャリア中の成分を検出してマッピングする検出手段と、
流れの検出成分を操作する流れ操作手段と、
前記検出成分の操作を制御する制御手段と、
を含み、前記流れ操作手段は、前記検出成分を前記流体キャリア中の他の成分から除去又は分離するように構成され、前記制御手段は、前記流れ操作手段を前記検出手段と同期させるように構成されるシステム。
【請求項２】
前記対象物が粒子である、請求項１に記載のシステム。
【請求項３】
前記複数成分流れが、粒子を含んだ液体を含む、請求項１に記載のシステム。
【請求項４】
前記複数成分流れがスラリーである、請求項１に記載のシステム。
【請求項５】
前記検出手段が、照射散乱（特に粒子検出に適した）に基づく光学的方法を含む、請求項２に記載のシステム。
【請求項６】
前記検出手段が、
少なくとも第１の波長範囲の光波に不透明な流動性試料を閉じ込めるように構成されたキュベットと、
前記キュベット内に配置され、前記試料を第１の方向に圧縮し、同時に前記試料を流れの方向と平行かつ前記第１の方向に垂直な第２の方向に調整し、同時に前記試料を前記第１及び第２の方向と垂直な第３の方向に伸長するように構成された透明流れ圧縮要素と、
モニターと、
を含み、前記試料は、前記第１の方向に圧縮された時に光波の前記波長範囲内の少なくとも１つの波長に透明になり、前記モニターは、前記少なくとも１つの波長を使用して前記試料を監視する、請求項５に記載のシステム。
【請求項７】
複数成分流れにおける対象物の選択操作システムであって、
流体キャリア中の成分を検出してマッピングする検出及びマッピング手段と、
流れを操作する流れ操作手段と、
検出成分の操作を制御する制御手段と、
を含み、前記流れ操作手段は、前記検出成分を操作すると同時に前記流体キャリア中に他の成分を残し、前記制御手段は、前記流れ操作手段を前記検出及びマッピング手段と同期させるように構成されるシステム。
【請求項８】
複数成分流れにおける対象物の選択操作方法であって、
流体キャリア中の成分を検出してマッピングする検出及びマッピングステップと、
検出成分を操作すると同時に前記流体キャリア中の他の成分を残す検出成分操作ステップと、
を含み、前記検出成分操作ステップが、前記検出及びマッピングステップと同期される方法。
【請求項９】
前記対象物が粒子である、請求項８に記載の方法。
【請求項１０】
前記複数成分流れが、粒子を含んだ液体を含む、請求項８に記載の方法。
【請求項１１】
前記複数成分流れがスラリーである、請求項８に記載の方法。
【請求項１２】
前記検出手段が、照射散乱（特に粒子検出に適した）に基づく光学的方法を含む、請求項８に記載の方法。
【請求項１３】
前記検出手段が、
少なくとも第１の波長範囲の光波に不透明な流動性試料を閉じ込めるように構成されたキュベットと、
前記キュベット内に配置され、前記試料を第１の方向に圧縮し、同時に前記試料を流れの方向と平行かつ前記第１の方向に垂直な第２の方向に調整し、同時に前記試料を前記第１及び第２の方向と垂直な第３の方向に伸長するように構成された透明流れ圧縮要素と、
モニターと、
を含み、前記試料は、前記第１の方向に圧縮された時に光波の前記波長範囲内の少なくとも１つの波長に透明になり、前記モニターは、前記少なくとも１つの波長を使用して前記試料を監視する、請求項８に記載の方法。
【請求項１４】
少なくとも第１の波長範囲の光波に不透明な流動性試料を閉じ込めるように構成されたキュベットと、
前記キュベット内に配置され、前記試料を第１の方向に圧縮し、同時に前記試料を流れの方向と平行かつ前記第１の方向に垂直な第２の方向に調整し、同時に前記試料を前記第１及び第２の方向と垂直な第３の方向に伸長するように構成された透明流れ圧縮要素と、
モニターと、
を含み、前記試料は、前記第１の方向に圧縮された時に光波の前記波長範囲内の少なくとも１つの波長に透明になり、前記モニターは、前記少なくとも１つの波長を使用して前記試料を監視する粒子監視システム。
【請求項１５】
少なくとも第１の波長範囲の光波に不透明な流動性試料を閉じ込めるステップと、
前記試料の透明度を測定するステップと、
前記試料を第１の方向に圧縮し、同時に前記試料を前記試料の流れの方向と平行かつ前記第１の方向に垂直な第２の方向に制限し、同時に前記試料を前記第１及び第２の方向に垂直な第３の方向に伸長し、前記試料が前記第１方向に圧縮された時に、前記試料が前記第１の波長範囲のうちの少なくとも１つの波長に透明になるステップと、
圧縮された前記試料に含まれる粒子の特性を識別するステップと、
を含む粒子監視方法。
【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
ｄ−アルファ−トコフェリルポリエチレングリコール１０００コハク酸エステル（「ＴＰＧＳ」）；
２−（２−エトキシエトキシ）エタノール（「トランスクトール」）；および
式Ｉの化合物の有効量；
を含み、経口投与される、医薬製剤。
【化１】
2011527704.tif 000001
式中、Ｒ１は、それぞれ１〜６の独立したＲ５基が置換していてもよい、イソキサゾリル、チアゾリル、イソチアゾリル、１，３，４−チアジアゾリル、１，３−ベンゾチアゾリル、キノリル、イソキノリル、チオナフテニル、またはベンゾフラニルであり；
Ｒ２は、それぞれ１〜４の独立したＲ５基が置換していてもよい、Ｈ、Ｃ１〜Ｃ１０アルキル、またはアリールであり；
Ｒ３は、それぞれ１〜４の独立したＲ５基が置換していてもよい、Ｃ１〜Ｃ１０アルキル、Ｃ２〜Ｃ１０アルケニル、Ｃ２〜Ｃ１０アルキニル、Ｃ３〜Ｃ１０シクロアルキル、Ｃ４〜Ｃ１０シクロアルケニル、イソキサゾリル、フラニル、チオフェニル、チアゾリル、イミダゾリル、ピリジル、またはヘテロシクリルであり；
Ｒ４は、それぞれ独立して、Ｈ、ＮＯ２、ハロゲン原子、ＣＮ、Ｒ７、ＯＲ７、ＣＯ２Ｒ７、ＳＲ７、ＮＲ７Ｒ７、Ｃ（Ｏ）Ｒ７、Ｃ（Ｏ）ＮＲ７Ｒ７、ＯＣ（Ｏ）Ｒ７、Ｓ（Ｏ）２Ｒ７、Ｓ（Ｏ）２ＮＲ７Ｒ７、ＮＲ７Ｃ（Ｏ）ＮＲ７Ｒ７、ＮＲ７Ｃ（Ｏ）Ｒ７、ＮＲ７（ＣＯＯＲ７）、ＮＲ７Ｓ（Ｏ）２ＮＲ７Ｒ７、ＮＲ７Ｓ（Ｏ）２Ｒ７、またはＳ（Ｏ）２ＯＲ７であり；
ｎは０、１、２、３、または４であり；
Ｒ５は、それぞれ独立して、Ｈ、１〜４の独立したＲ６基が置換していてもよいＣ１〜Ｃ１０アルキル、Ｃ２〜Ｃ１０アルケニル、Ｃ２〜Ｃ１０アルキニル、Ｃ３〜Ｃ１０シクロアルキル、１〜４の独立したＲ６基が置換していてもよいアリール、１〜４の独立したＲ６基が置換していてもよいヘテロアリール、１〜４の独立したＲ６基が置換していてもよいヘテロシクリル、ハロゲン原子、ハロアルキル、ＳＲ７、ＯＲ７、ＮＲ７Ｒ７、ＣＯＯＲ７、ＮＯ２、ＣＮ、Ｃ（Ｏ）Ｒ７、Ｃ（Ｏ）ＮＲ７Ｒ７、ＯＣ（Ｏ）Ｒ７、Ｓ（Ｏ）２Ｒ７、Ｓ（Ｏ）２ＯＲ７、Ｓ（Ｏ）２ＮＲ７Ｒ７、ＮＲ７Ｃ（Ｏ）ＮＲ７Ｒ７、ＮＲ７Ｃ（Ｏ）Ｒ７、ＮＲ７（ＣＯＯＲ７）、ＮＲ７Ｓ（Ｏ）２ＮＲ７Ｒ７、またはＮＲ７Ｓ（Ｏ）２Ｒ７であり；
Ｒ６は、それぞれ独立して、Ｃ１〜Ｃ１０アルキル、Ｃ２〜Ｃ１０アルケニル、Ｃ２〜Ｃ１０アルキニル、ハロゲン原子、ハロアルキル、ＣＮ、ＮＯ２、ＯＲ７、またはＳＯ２Ｒ７であり；
Ｒ７は、それぞれ独立して、それぞれ１〜４の独立したＲ８基が置換していてもよい、Ｈ、Ｃ１〜Ｃ１０アルキル、Ｃ２〜Ｃ１０アルケニル、Ｃ２〜Ｃ１０アルキニル、Ｃ３〜Ｃ１０シクロアルキル、アリール、ヘテロアリール、またはヘテロシクリルであり；
Ｒ８は、それぞれ独立して、Ｈ、ＯＨ，ＯＲ９、Ｃ１〜Ｃ１０アルキル、ハロゲン原子、アリール、ＮＯ２、またはＣＮであり；および
Ｒ９は、それぞれ独立して、それぞれ１〜４の独立したＯＨ、ハロゲン原子、ＣＮ、ＮＯ２、またはＣＯ２Ｈ基が置換していてもよい、Ｈ、Ｃ１〜Ｃ１０アルキルまたはアリールである。
【請求項２】
前記ＴＰＧＳが１０〜８０重量％であり、前記トランスクトールが２０〜６０重量％である、請求項１に記載の製剤。
【請求項３】
前記ＴＰＧＳが７０〜８０重量％であり、前記トランスクトールが２０〜３０重量％である、請求項２に記載の製剤。
【請求項４】
３００〜６０００の範囲の分子量を有するポリエチレングリコール（「ＰＥＧ」）をさらに含む、請求項１に記載の製剤。
【請求項５】
前記ＰＥＧが、４００〜１０００の範囲の分子量を有する、請求項４に記載の製剤。
【請求項６】
前記ＰＥＧが１０〜８０重量％であり、前記ＴＰＧＳが１０〜８０重量％であり、および前記トランスクトールが１０〜６０重量％である、請求項４または５に記載の製剤。
【請求項７】
前記ＰＥＧが３０〜７０重量％であり、前記ＴＰＧＳが１０〜５０重量％であり、および前記トランスクトールが１０〜３０重量％である、請求項６に記載の製剤。
【請求項８】
前記ＰＥＧが４０〜６５重量％であり、前記ＴＰＧＳが１５〜４０重量％であり、および前記トランスクトールが１５〜２５重量％である、請求項７に記載の製剤。
【請求項９】
カプセルに封入された、請求項１〜８のいずれか１項に記載の製剤。
【請求項１０】
前記カプセルが、ブタコラーゲン物質、ウシコラーゲン物質、ゼラチン、アラビアゴム、ペクチン、ポリ（エチレン−ｃｏ−無水マレイン酸）、ポリ（ビニルメチルエーテル−ｃｏ−無水マレイン酸）、カラギナン、および寒天からなる群から選択される少なくとも１つのポリマーから形成される、請求項９に記載の製剤。
【請求項１１】
前記製剤が、グリセリド、脂肪酸、および脂肪酸エステルを含まない、請求項１〜１０のいずれか１項に記載の製剤。
【請求項１２】
前記式Ｉの化合物が、Ｎ−（３−メチルイソチアゾール−５−イル）−２−［１−（３−メチルイソキサゾール−５−イルメチル）−１Ｈ−インドール−３−イル］−２−オキソアセトアミドである、請求項１〜１１のいずれか１項に記載の製剤。
【請求項１３】
がんの治療に用いられる、請求項１〜１２のいずれか１項に製剤。
【手続補正書】
【提出日】平成24年8月9日(2012.8.9)
【手続補正１】
【補正対象書類名】明細書
【補正対象項目名】０００５
【補正方法】変更
【補正の内容】
【０００５】
例えば、う蝕とは、食餌性炭水化物の細菌発酵で生じる酸性副産物に影響を受けやすい歯の硬組織の局部的破壊と定義される（Ｓｅｌｗｉｔｚら（２００７）Ｌａｎｃｅｔ  ３６９：５１−９）。口腔内における酸生成細菌の過剰な増殖は、う蝕原性の過程について取り上げられる病理学的３大要因の１つである（Ｆｅａｔｈｅｒｓｔｏｎｅら（２００３）Ｊ．Ｃａｌｉｆ．Ｄｅｎｔ．Ａｓｓｏｃ．、３１：２５７−６９）。う蝕を抑制または根絶するには、う蝕の細菌に関する側面に重点を置かなければならない（Ｆｅａｔｈｅｒｓｔｏｎｅ，Ｊ．Ｄ．（２０００）Ｊ．Ａｍ．Ｄｅｎｔ．Ａｓｓｏｃ．、１３１：８８７−９９）。
う蝕原性細菌に対する抗菌療法の有効性は、組織レベルの２つの主な要因に応じて異なり、それらの要因とは抗菌剤の特異性と、効果的な抗菌剤の濃度を局所に維持することである。例えば、グルコン酸クロルヘキシジンは、ミュータンス菌（Ｓｔｒｅｐｔｏｃｏｃｃｕｓ  Ｍｕｔａｎｓ）の減少に有効であると示されている一方、ヒトの歯垢中の乳酸菌（Ｌａｃｔｏｂａｃｉｌｌｉ）への有効性は見られない。これは、グルコン酸クロルヘキシジンのエナメル質への結合力が一部原因とされる（Ａｎｄｅｒｓｏｎ，Ｍ．Ｈ．（２００３）Ｊ．Ｃａｌｉｆ．Ｄｅｎｔ．Ａｓｓｏｃ．、３１：２１１−４）。市販の抗菌剤の多くが、う蝕原性細菌に対する活性を有するが、その大半は、歯の表面に露出した際に残らない。したがって、抗菌剤の歯の表面における局所濃度を維持する残存メカニズムを開発し、効果的な治療を送達する必要がある（Ｌｉｕら（２００６）Ｊ．Ｄｒｕｇ  Ｔａｒｇｅｔ、１４：５８３−９７；Ｆｅａｔｈｅｒｓｔｏｎｅ，Ｊ．Ｄ．（２００６）ＢＭＣ  Ｏｒａｌ  Ｈｅａｌｔｈ  ６（Ｓｕｐｐｌ  １）：Ｓ８）。
これまで、口腔内の薬剤濃度を維持する種々の送達システムが開発されてきた。それらのシステムは、生体接着性の錠剤（Ａｌｉら（２００２）Ｉｎｔ．Ｊ．Ｐｈａｒｍ．、２３８：９３−１０３；Ｇｉｕｎｃｈｅｄｉら（２００２）Ｅｕｒ．Ｊ．Ｐｈａｒｍ．Ｂｉｏｐｈａｒｍ．、５３：２３３−９；Ｍｉｎｇｈｅｔｔｉら（１９９７）Ｂｏｌｌ．Ｃｈｉｍ．Ｆａｒｍ．、１３６：５４３−８）、生体接着性のパッチまたはフィルム（Ｎａｆｅｅら（２００３）Ａｃｔａ  Ｐｈａｒｍ．、５３：１９９−２１２；Ｓｅｎｅｌら（２０００）Ｉｎｔ．Ｊ．Ｐｈａｒｍ．１９３：１９７−２０３）、および生体接着性のゲルや半固体（Ｊｏｎｅｓ（１９９９）Ｊ．Ｐｈａｒｍ．Ｓｃｉ．、８８：５９２−８；Ｓｃｈｉｆｆ，Ｔ．（２００７）Ｊ．Ｃｌｉｎ．Ｄｅｎｔ．、１８：７９−８１；Ｖｉｎｈｏｌｉｓら（２００１）Ｂｒａｚ．Ｄｅｎｔ．Ｊ．、１２：２０９−１３）などを含む。これらの残存メカニズムは生体接着性のポリマーを基礎とし、口腔粘膜に付着するものである。これらの製剤は一般的に口腔内の薬剤維持に有効ではあるが、最も高い薬剤濃度を歯の表面よりも粘膜上皮に提供する。この薬剤付着部分への局所的な刺激と異物の不快感とによって患者の服薬コンプライアンスが損なわれることが多い（Ｍｕｌｈｂａｃｈｅｒら（２００６）Ｉｎｔ．Ｊ．Ｂｉｏｌ．Ｍａｃｒｏｍｏｌ．、４０：９−１４；Ｓｕｄｈａｋａｒら（２００６）Ｊ．Ｃｏｎｔｒｏｌ  Ｒｅｌｅａｓｅ、１１４：１５−４０）。直接的で長期的な抗菌剤と歯との相互作用をもたらすようなワニス製剤も開発されている。当該製剤は一般的に、歯科医療従事者が定期検診の際に塗布するものである。しかしながら、断続的な治療からの長期的な恩恵は、不規則なう蝕の性質により制限される。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００６
【補正方法】変更
【補正の内容】
【０００６】
【特許文献１】  米国特許出願公開第２００３／００９２７７６号明細書
【特許文献２】  米国特許出願公開第２００７／０１４０９９０号明細書
【非特許文献】
【手続補正３】
【補正対象書類名】明細書
【補正対象項目名】０００７
【補正方法】変更
【補正の内容】
【０００７】
【非特許文献１】  Ｗａｎｇ  ｅｔ  ａｌ．，  "Ｂｏｎｅ−ｔａｒｇｅｔｉｎｇ  Ｍａｃｒｏｍｏｌｅｃｕｌａｒ  Ｔｈｅｒａｐｅｕｔｉｃｓ．"  Ａｄｖａｎｃｅｄ  Ｄｒｕｇ  Ｄｅｌｉｖｅｒｙ  Ｒｅｖｉｅｗｓ，  Ｖｏｌ．  ５７，  Ｎｏ．  ７，  ｐ．  １０４９−１０７６，  ２５  Ｍａｙ  ２００５  （２５．０５．２００５），  Ａｂｓｔｒａｃｔ；  ｐｇ  １０５２，  Ｓｅｃｔｉｏｎ  ２．１；  ｐｇ  １０５５，  ｒｉｇｈｔ  ｃｏｌｕｍｎ，  ｌａｓｔ  ｐａｒａｇｒａｐｈ  ｔｏ  ｐｇ  １０５６，  ｌｅｆｔ  ｃｏｌｕｍｎ，  ｆｉｒｓｔ  ｐａｒａｇｒａｐｈ；  ｐｇ  １０５７，  ｒｉｇｈｔ  ｃｏｌｕｍｎ，  ｐａｒａ  ２  ｔｏ  ｐｇ  １０５８，  ｌｅｆｔ  ｃｏｌｕｍｎ；  ｐｇ  １０５９，  Ｓｅｃｔｉｏｎ  ２．３；  ｐｇ  １０６０，  ｒｉｇｈｔ  ｃｏｌｕｍｎ，  ｐａｒａ  ４；  ｐｇ  １０６８，  ｌｅｆｔ  ｃｏｌｕｍｎ，  ｌａｓｔ  ｐａｒａｇｒａｐｈ  ｔｏ  ｐｇ  １０６８，  ｒｉｇｈｔ  ｃｏｌｕｍｎ，  ｐａｒａ  １−２
【発明の概要】
【課題を解決するための手段】
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
非感染性、炎症性の慢性後部眼瞼炎の治療のための医薬組成物であって、
アジスロマイシンの有効量を含むと共に、
非感染性、炎症性の慢性後部眼瞼炎に罹患する対象の眼に対して、局所的に投与される、医薬組成物。
【請求項２】
前記アジスロマイシンの有効量が、約０．５〜１．５％（w / v）である、請求項１に記載の医薬組成物。
【請求項３】
前記アジスロマイシンの有効量が、約ｌ％（w / v）である、請求項２に記載の医薬組成物。
【請求項４】
前記アジスロマイシンが、ポリカルボフィル、エデト酸二ナトリウム、塩化ナトリウム、及び水の中で製剤化される、請求項１に記載の医薬組成物。
【請求項５】
前記対象に少なくとも２週間投与される、請求項１に記載の医薬組成物。
【請求項６】
前記対象に少なくとも１ヶ月間投与される、請求項１に記載の医薬組成物。
【請求項７】
前記対象が機械的療法でさらに治療される、請求項１に記載の医薬組成物。
【請求項８】
慢性後部眼瞼炎の治療のための医薬組成物であって、
アジスロマイシンの有効量を含むと共に、
慢性後部眼瞼炎に罹患する対象の眼に対して２週間以上局所的に投与される、医薬組成物。
【請求項９】
前記アジスロマイシンの有効量が、約０．５〜１．５％（w / v）である、請求項８に記載の医薬組成物。
【請求項１０】
前記アジスロマイシンの有効量が、約ｌ％（w / v）である、請求項９に記載の医薬組成物。
【請求項１１】
前記アジスロマイシンが、ポリカルボフィル、エデト酸二ナトリウム、塩化ナトリウム、及び水の中で製剤化される、請求項８に記載の医薬組成物。
【請求項１２】
前記対象に少なくとも３週間投与される、請求項８に記載の医薬組成物。
【請求項１３】
前記対象に少なくとも４週間投与される、請求項１２に記載の医薬組成物。
【請求項１４】
前記対象が機械的療法でさらに治療される、請求項８に記載の医薬組成物。
【請求項１５】
炎症性の慢性後部眼瞼炎の治療のための医薬組成物であって、
アジスロマイシンの有効量を含むと共に、
非感染性、炎症性の慢性後部眼瞼炎に罹患する対象の眼に対して、２週間以上に渡って断続的に、局所的に投与される、医薬組成物。
【請求項１６】
眼瞼炎に続発するドライアイの治療のための医薬組成物であって、
アジスロマイシンの有効量を含むと共に、
眼瞼炎に続発するドライアイに罹患する対象の眼に対して、局所的に投与される、医薬組成物。
【請求項１７】
前記アジスロマイシンの有効量が、約０．５〜１．５％（w / v）である、請求項１６に記載の医薬組成物。
【請求項１８】
前記アジスロマイシンの有効量が、約ｌ％（w / v）である、請求項１６に記載の医薬組成物。
【請求項１９】
前記アジスロマイシンが、ポリカルボフィル、エデト酸二ナトリウム、塩化ナトリウム、及び水の中で製剤化される、請求項１６に記載の医薬組成物。
【請求項２０】
前記対象に、２週間以上毎日または断続的に投与される、請求項１６に記載の医薬組成物。
【請求項２１】
眼瞼炎または眼瞼炎に続発するドライアイに起因する対象のコンタクトレンズ不耐性を緩和するための医薬組成物であって、
アジスロマイシンの有効量を含むと共に、
眼瞼炎または眼瞼炎に続発するドライアイに起因するコンタクトレンズ不耐性に苦しむ対象の眼に対して局所的に投与され、これによって上記対象の１日の快適なコンタクトレンズ装着時間が増加される、医薬組成物。
【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
硬化可能な樹脂組成物であって、
（ａ）無水反応性部位を有する少なくとも１つの無水官能化化合物と、
（ｂ）ポリオール反応性部位を有するポリオール官能化化合物と、
（ｃ）エポキシ反応性部位を有するエポキシ官能化化合物と、
（ｄ）ウレタンポリオール官能化化合物と、
（ｅ）触媒と、を含む硬化可能な樹脂組成物。
【請求項２】
硬化可能な樹脂組成物のキットであって、
無水反応性部位を有する少なくとも１つの無水官能化化合物、及び
エポキシ反応性部位を有する少なくとも１つのエポキシ官能化化合物を含む第１の区画と、
反応性ポリオール部位を有する少なくとも１つのポリオール官能化化合物、及び
ウレタンポリオール反応性部位を有する少なくとも１つのウレタンポリオール官能化化合物を含む第２の区画と、を含む、硬化可能な樹脂組成物のキット。
【請求項３】
信号伝送装置、及びキットを提供する工程であって、該キットが、
無水反応性部位を有する少なくとも１つの無水官能化化合物、及び
エポキシ反応性部位を有する少なくとも１つのエポキシ官能化化合物を含む第１の区画と、
反応性ポリオール部位を有する少なくとも１つのポリオール官能化化合物、及び
ウレタンポリオール反応性部位を有する少なくとも１つのウレタンポリオール官能化化合物、及び
触媒を含む第２の区画と、を含む、工程と、
前記第１の区画の構成要素を前記第２の区画の構成要素と混合して、反応性混合物を形成する工程と、
前記反応性混合物を前記装置に塗布する工程と、を含む、信号伝送装置を封入する方法。
【手続補正書】
【提出日】平成24年6月8日(2012.6.8)
【手続補正１】
【補正対象書類名】明細書
【補正対象項目名】００４９
【補正方法】変更
【補正の内容】
【００４９】
実施例１〜３のコア／シェルポリマー類のＬＯＩは、下記の通りである： 
【表１】
2011527717.tif 000001
【手続補正２】
【補正対象書類名】明細書
【補正対象項目名】００５０
【補正方法】変更
【補正の内容】
【００５０】
以上、本発明を要約すると下記のとおりである。
１．少なくとも２個の炭素原子を含む側鎖を与えるエチレン／テトラフルオロエチレン／改質ビニルモノマーのコポリマーを、水性媒体中の該コポリマーの粒子の分散体として生成させるための重合方法であって、
（ａ）該水性媒体中、耐熱性ポリマー粒子の安定した分散体であって、該耐熱性ポリマー粒子がさらなる重合のための重合部位を備える該分散体を生成させる少なくとも１つのフルオロモノマーと、上記重合を開始させること、及び（ｂ）少なくとも上記水性媒体中上記エチレン、テトラフルオロエチレン、および改質ビニルモノマーを、少なくとも約１５質量％のポリマー固体に共重合することにより、上記のさらなる重合を行なうことを含み、該コポリマーが、該ポリマー固体の総ポリマー含量の少なくとも約６０質量％を含む、
上記重合方法。
２．（ａ）および（ｂ）の重合が、フリーラジカル開始剤および界面活性剤の存在下で行なわれる、上記１に記載の方法。
３．（ａ）および（ｂ）の重合が、本質的に、水性媒体中にいかなる有機溶剤も存在しない条件下で行なわれる、上記１に記載の方法。
４．改質ビニルモノマーは、（ｉ）ＣＦ２＝ＣＦＯｘＲ、（ここで、ｘは０または１の整数であり、Ｒは少なくとも２個の炭素原子を含む有機基である）、（ｉｉ）ＣＨ２＝ＣＨｘＲ’ｙ（ここで、それぞれ、ｘは０または１の整数であり、ｙは２または１であり、Ｒ’は、フルオロアルキルである）、および（ｉｉｉ）ＣＨ２＝ＣＦＲ’’（ここでＲ’’はフルオロアルキルである）である、上記１に記載の方法。
５．フルオロモノマーがパーフルオロモノマーである、上記１に記載の方法。
６．ポリマー固体が約１２５ｎｍ以下の平均粒径を有する、上記１に記載のポリマー固体の水分散液。
７．平均粒径が、約１００ｎｍ以下である、上記６に記載の水分散液。
【手続補正３】
【補正対象書類名】特許請求の範囲
【補正対象項目名】全文
【補正方法】変更
【補正の内容】
【特許請求の範囲】
【請求項１】
少なくとも２個の炭素原子を含む側鎖を与えるエチレン／テトラフルオロエチレン／改質ビニルモノマーのコポリマーを、水性媒体中の該コポリマーの粒子の分散体として生成させるための重合方法であって、
（ａ）該水性媒体中、耐熱性ポリマー粒子の安定した分散体であって、該耐熱性ポリマー粒子がさらなる重合のための重合部位を備える該分散体を生成させる少なくとも１つのフルオロモノマーと、上記重合を開始させること、及び（ｂ）少なくとも上記水性媒体中上記エチレン、テトラフルオロエチレン、および改質ビニルモノマーを、少なくとも約１５質量％のポリマー固体に共重合することにより、上記のさらなる重合を行なうことを含み、該コポリマーが、該ポリマー固体の総ポリマー含量の少なくとも約６０質量％を含む、
上記重合方法。
【請求項２】
ポリマー固体が約１２５ｎｍ以下の平均粒径を有する、請求項１に記載のポリマー固体の水分散液。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
コンピュータシステムを起動するための方法であって、
中央処理ユニットの不揮発性メモリに記憶され、前記中央処理ユニットのコア回路に前記中央処理ユニットのランダムアクセスメモリを初期化させる第１の命令を含む第１の一連のデータにアクセスするステップと、
前記第１の命令の少なくとも第１の部分の完全性を照合するために、前記第１の命令の第２の部分を実行するステップと、
第２の一連のデータの完全性を照合するための署名と前記中央処理ユニットに前記コンピュータシステムのシステムメモリを初期化させる第２の命令とを備える前記第２の一連のデータのイメージを、前記第１の命令の前記第１の部分の完全性を照合することに応じて不揮発性メモリから前記初期化されたランダムアクセスメモリに読み込むステップと、
前記署名と前記第１の一連のデータに含まれる復号化鍵とを用いて前記第２の一連のデータの前記完全性を照合するステップと、
前記第２の一連のデータの照合が成功したときに前記第２の命令を用いて前記システムメモリを初期化するステップとを備えた方法。
【請求項２】
前記第１の命令の前記第１の部分の前記完全性を照合するために前記第１の命令の前記第２の部分を実行するステップを更に備えている、請求項１の方法。
【請求項３】
前記ランダムアクセスメモリを初期化するために前記第１の命令のある部分を実行するステップと、
前記第１の一連のデータの一部を初期化された前記ランダムアクセスメモリに複写するステップと、
前記ランダムアクセスメモリに複写された前記第１の一連のデータの一部を用いて前記第１の命令の前記第１の部分の前記完全性を照合するために前記第１の命令の前記第２の部分を実行するステップとを更に備えている、請求項１の方法。
【請求項４】
前記不揮発性メモリから前記システムメモリに第３の一連のデータを読み込むと共に前記第３の一連のデータの完全性を照合することと、
前記第３の一連のデータに含まれ、前記コンピュータシステムに接続された起動可能デバイスから前記システムメモリにオペレーティングシステムを読み込ませる第３の命令を実行することとを更に備えている、請求項１の方法。
【請求項５】
前記第３の一連のデータの完全性を照合することは、前記第３の一連のデータに対するハッシュ値を決定することと、前記決定されたハッシュ値を前記第２の一連のデータに含まれる前記第３の一連のデータの当初のハッシュ値と比較することとを備えている、請求項４の方法。
【請求項６】
前記ランダムアクセスメモリを初期化することは、前記中央処理ユニットのデータキャッシュ及び命令キャッシュを初期化することを備えており、前記第２の一連のデータは前記データキャッシュに読み込まれ、
前記方法は、前記第２の一連のデータの完全性の照合が成功したときに前記第２の一連のデータを前記命令キャッシュに複写して前記第２の命令を実行することを更に備えている、請求項１の方法。
【請求項７】
前記第２の一連のデータを前記ランダムアクセスメモリに読み込むことは、ハッシュアルゴリズムを実行して前記第２の一連のデータのハッシュ値を決定することを備えており、
前記第２の一連のデータの完全性を照合することは、前記第２の一連のデータの前記ハッシュ値を、前記復号化鍵を前記署名に適用することによって得られる当初のハッシュ値と比較することを備えている、請求項１の方法。
【請求項８】
前記中央処理ユニットがリセットされ又は電源投入されるときはいつでも前記第１の一連のデータがアクセスされる、請求項１の方法。
【請求項９】
前記第２の一連のデータの照合成功の後に少なくとも前記復号化鍵への外部アクセスが可能になるように前記第１の一連のデータのアドレスを前記中央処理ユニットの仮想アドレス空間内で再配置することを更に備えた、請求項１の方法。
【請求項１０】
少なくとも前記第２の一連のデータの照合状態に関する状態情報を提供することを更に備えた、請求項１の方法。
【請求項１１】
前記第１の一連のデータを前記システムメモリ内に複写することを更に備えた、請求項４の方法。
【請求項１２】
前記第１の一連のデータは前記中央処理ユニットの前記ランダムアクセスメモリを初期化するための起動前命令及びデータ値を備えており、前記第２の一連のデータは起動命令及び起動データ値を備えている、請求項１の方法。
【請求項１３】
ＣＰＵコア、揮発性ランダムアクセスメモリ、不揮発性メモリ並びに前記ＣＰＵコア、前記揮発性ランダムアクセスメモリ及び前記不揮発性メモリを接続するためのバスシステムを画定する回路素子が形成された基板と、
前記不揮発性メモリに記憶され、前記ＣＰＵコアによって実行可能な命令と前記揮発性ランダムアクセスメモリを初期化すると共に起動ルーチンの少なくとも一部を照合するためのデータ値とを含む起動前情報と、を備えた中央処理ユニット。
【請求項１４】
前記起動前情報は前記起動ルーチンの前記少なくとも一部の署名を復号化することを可能にするように構成された一つ以上の復号化鍵を含む、請求項１３の中央処理ユニット。
【手続補正書】
【提出日】平成24年6月25日(2012.6.25)
【手続補正１】
【補正対象書類名】明細書
【補正対象項目名】０１７９
【補正方法】変更
【補正の内容】
【０１７９】
（実施例３）
９０／１０イソオクチルアクリレート／アクリル酸、０．３重量％のヘキサンジオールジアクリレート、及び０．２重量％のＩＲＧＡＣＵＲＥ  ６５１光反応開始剤（phototinitiator）（Ｃｉｂａ  Ｓｐｅｃｉａｌｔｙ）で処方された接着剤組成物を、２本のリボン状の側面発光ダイオード（ＬＥＤ）を２２．９ｃｍ（９インチ）間隔に（両面接着剤で）取り付けた、０．１３ｍｍ（５ｍｉｌ）のミラーフィルム（３Ｍ（商標）Ｃｏ．のＶｉｋｕｉｔｉ（商標）Ｅｎｈａｎｃｅｄ  Ｓｐｅｃｕｌａｒ  Ｒｅｆｌｅｃｔｏｒ）にコーティングした。接着剤組成物は、ノッチバーナイフコーターを用いてコーティングし、かつシリコーン剥離ライナ（ＣＰ  Ｆｉｌｍｓ  Ｔ１０  ０．５１ｍｍ（２．０ｍｉｌ）ポリエステル剥離ライナ）で被覆した。低強度の紫外線ランプを用いて、接着剤組成物を１５分間硬化させた。ＬＥＤリボンが完全に封入されるように、接着剤組成物を湿潤厚さ１．７８ｍｍ（７０ｍｉｌ）でコーティングした。接着剤は、厚さ１．０２ｍｍ（４０ｍｉｌ）及び屈折率１．４７４（アッベ屈折計での計測による）であった。ＬＥＤに電力供給できるように、結合点においてリボンから接着剤を除去した。次いで、このＬＥＤが埋め込まれた導光体構成体（２２．９ｃｍ×９１．４ｃｍ（９インチ×３６インチ）の領域）上に、ポリカーボネートフィルムのない３Ｍ（商標）Ｄｉａｍｏｎｄ  Ｇｒａｄｅ（商標）Ｒｅｆｌｅｃｔｉｖｅ  Ｓｈｅｅｔｉｎｇを含む可撓性の反射性シーティングを積層した。封入された側面発光ＬＥＤに電力供給し、光はＰＳＡの全長２２．９ｃｍ（９インチ）を容易に通過し、光が反射性シーティングを通って退出する様子が視認可能であった。
本発明はまた、以下の内容を包含する。
（１）光源と、
粘弾性導光体であって、前記光源から発せられた光が前記粘弾性導光体に進入し、かつ全反射によって前記導光体内部で輸送される、粘弾性導光体と、
光の再帰反射に適した再帰反射フィルムであって、前記粘弾性導光体内を輸送中の光が前記導光体から抽出され、かつ前記再帰反射フィルムの構造化表面から再帰反射する、再帰反射フィルムと、
を備える、光学デバイス。
（２）再帰反射は屈折による反射を含む、項目（１）に記載の光学デバイス。
（３）再帰反射は回折による反射を含む、項目（１）に記載の光学デバイス。
（４）光源と、
粘弾性導光体であって、前記光源から発せられた光が前記粘弾性導光体に進入し、かつ全反射によって前記導光体内部で輸送される、粘弾性導光体と、
光の再帰反射に適した再帰反射フィルムであって、前記粘弾性導光体内を輸送中の光が前記導光体から抽出され、かつ前記再帰反射フィルムを透過する、再帰反射フィルムと、
を備える、光学デバイス。
（５）前記粘弾性導光体内を輸送中の光の少なくとも約８０％が前記導光体から抽出される、項目（１）又は（４）に記載の光学デバイス。
（６）前記粘弾性導光体が感圧性接着剤を含む、項目（１）又は（４）に記載の光学デバイス。
（７）前記デバイスが可撓性である、項目（１）又は（４）に記載の光学デバイス。
（８）前記粘弾性導光体が、約９０〜約１００％の光透過率と、約０．０１〜約５％未満のヘイズ値と、を有する、項目（１）又は（４）に記載の光学デバイス。
（９）前記再帰反射フィルムが、前記粘弾性導光体の屈折率よりも大きい屈折率を有する、項目（１）又は（４）に記載の光学デバイス。
（１０）前記粘弾性導光体が前記再帰反射フィルムに接触する、項目（１）又は（４）に記載の光学デバイス。
（１１）前記粘弾性導光体と前記再帰反射フィルムとの間に高分子フィルムが配置されている、項目（１）又は（４）に記載の光学デバイス。
（１２）前記再帰反射フィルムがプリズム型再帰反射性シーティングを含む、項目（１）又は（４）に記載の光学デバイス。
（１３）前記再帰反射フィルムが鏡上に配置されている、項目（１）又は（４）に記載の光学デバイス。
（１４）前記粘弾性層が、印刷されたグラフィックフィルム上に配置されている、項目（１）又は（４）に記載の光学デバイス。
（１５）前記粘弾性層がホログラフィックフィルム上に配置されている、項目（１）又は（４）に記載の光学デバイス。
（１６）前記粘弾性導光体が、スリークウォーターミラーを含む多層光学フィルム上に配置されている、項目（１）又は（４）に記載の光学デバイス。
（１７）前記再帰反射フィルムが再帰反射性シーティングを含み、前記粘弾性導光体が、前記シーティングとスリークウォーターミラーを含む多層光学フィルムとの間に配置されている、項目（１）又は（４）に記載の光学デバイス。
（１８）光拡散層が、前記再帰反射フィルムと前記粘弾性導光体との間に配置されている、項目（１）又は（４）に記載の光学デバイス。
（１９）前記粘弾性導光体が鏡上に配置されている、項目（４）に記載の光学デバイス。
（２０）前記再帰反射フィルムが再帰反射性シーティングを含み、前記粘弾性導光体が、前記シーティングと鏡との間に配置されている、項目（４）に記載の光学デバイス。
（２１）前記粘弾性導光体が剥離ライナ上に配置されている、項目（１）又は（４）に記載の光学デバイス。
（２２）項目（１）又は（４）に記載の光学デバイスを含む、標識又はマーキング。
（２３）項目（１）又は（４）に記載の光学デバイスを含む、ナンバープレートアセンブリ。
（２４）項目（１）又は（４）に記載の光学デバイスを含む、セキュリティラミネート。
（２５）ハウジングと、透明カバーと、項目（１）又は（４）に記載の光学デバイスと、を含む、車両との使用に適したテールライトアセンブリ。
（２６）ハウジングと、発光層と、項目（１）又は（４）に記載の光学デバイスと、を含む、照明装置。
（２７）前記照明装置が、最大輝度の少なくとも約７０％である最小輝度を有する均一な照明を提供する、項目（２６）に記載の照明装置。
【手続補正２】
【補正対象書類名】特許請求の範囲
【補正対象項目名】全文
【補正方法】変更
【補正の内容】
【特許請求の範囲】
【請求項１】
光源と、
粘弾性導光体であって、前記光源から発せられた光が前記粘弾性導光体に進入し、かつ全反射によって前記導光体内部で輸送される、粘弾性導光体と、
光の再帰反射に適した再帰反射フィルムであって、前記粘弾性導光体内を輸送中の光が前記導光体から抽出され、かつ前記再帰反射フィルムの構造化表面から再帰反射する、再帰反射フィルムと、
を備える、光学デバイス。
【請求項２】
光源と、
粘弾性導光体であって、前記光源から発せられた光が前記粘弾性導光体に進入し、かつ全反射によって前記導光体内部で輸送される、粘弾性導光体と、
光の再帰反射に適した再帰反射フィルムであって、前記粘弾性導光体内を輸送中の光が前記導光体から抽出され、かつ前記再帰反射フィルムを透過する、再帰反射フィルムと、
を備える、光学デバイス。
【請求項３】
前記粘弾性導光体が感圧性接着剤を含む、請求項１又は２に記載の光学デバイス。
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
複数の計算環境にまたがってアバターを提供する方法であって、
第１計算アプリケーションにおいてアバターおよび該アバターの複数の姿形をレンダリングするステップと、
前記第１計算アプリケーションにおいてレンダリングされた前記アバターおよび前記アバターの姿形に関するデーターを格納するステップと、
前記格納されたデーターに基づいて、前記アバターおよび前記アバターの姿形を第２計算アプリケーションにおいてレンダリングするステップと、
計算機に関連した第３計算アプリケーションにおいて前記アバターおよび前記アバターの姿形を変更するステップであって、前記計算機が、コンピューター・ゲームまたはユーザが前記アバターをレンダリングあるいは使用することができる計算環境の外にある、ステップと、
を含む、方法。
【請求項２】
請求項１記載の方法において、前記姿形は、複数のアクセサリー、感情表現、またはアニメーションのうち少なくとも１つを含む、方法。
【請求項３】
請求項１または２に記載の方法において、前記第１計算アプリケーションは、第１コンピューター・ゲームを含み、前記第２計算アップリケーションは、第２コンピューター・ゲーム、チャット、フォーラム、コミュニティまたはインスタント・メッセージング・サービスのうち１つを含む、方法。
【請求項４】
請求項１から３のいずれかに記載の方法において、前記第１計算アプリケーションおよび前記第２計算アプリケーションは、計算機において実行する、方法。
【請求項５】
請求項４記載の方法において、前記計算機はマルチメディア・コンソールを含む、方法。
【請求項６】
請求項１から５のいずれかに記載の方法において、前記第１計算アプリケーションは第１計算機において実行し、前記第２計算アプリケーションは、前記第１計算機とは別の第２計算機において実行する、方法。
【請求項７】
請求項６記載の方法において、前記第１計算機は、前記第２計算機とは異なるプラットフォームを含む、方法。
【請求項８】
請求項１から７のいずれかに記載の方法において、前記アバターおよび姿形に関するデーターを格納するステップは、前記アバターの現在の状態に関するデーターと、前記アバターに利用可能な複数のアクセサリーに関するデーターとを格納するステップを含む、方法。
【請求項９】
請求項１から８のいずれかに記載の方法において、データーを格納するステップは、複数の計算機にとってアクセス可能なストレージに前記データーを格納するステップを含み、各計算機が前記アバターのための環境を維持する、方法。
【請求項１０】
姿形をアバターに提供する方法であって、
アバターに対する姿形の選択を受けるステップと、
計算機に関連したアプリケーションにおいて前記アバターおよび前記アバターの姿形を変更するステップであって、前記計算機が、コンピューター・ゲームまたはユーザが前記アバターをレンダリングあるいは使用することができる計算環境の外にある、ステップと、
前記アバターおよび前記アバターの姿形に関するデーターを、複数のアバター計算アプリケーションにとってアクセス可能なストレージに格納するステップと、
を含む、方法。
【請求項１１】
請求項１０記載の方法において、前記姿形は、アクセサリー、感情表現、またはアニメーションを含む、方法。
【請求項１２】
請求項１０または１１に記載の方法において、前記ストレージは、複数の計算機にとってアクセス可能であり、各計算機が前記アバターに対して異なるプラットフォームを提供する、方法。
【請求項１３】
請求項１０から１２のいずれかに記載の方法であって、更に、クローゼットをユーザーに提供するステップを含み、該クローゼットは、前記アバターのための複数のアクセサリーを含み、該アクセサリーがユーザーによって選択可能である、方法。
【請求項１４】
請求項１３記載の方法であって、更に、前記クローゼットを介してユーザーから前記アクセサリーのうち１つの選択を受けるステップと、前記アクセサリーを前記アバターに与えるステップと、前記アクセサリーに関するデーターを前記ストレージに格納するステップとを含む、方法。
【請求項１５】
請求項１３または１４に記載の方法であって、更に、前記姿形に関するデーターを前記クローゼットに格納するステップを含む、方法。
【請求項１６】
アバター・システムであって、
複数のアバター計算アプリケーションと関連した複数の環境をまたがって利用可能なアバターと、
計算機に関連した前記アバターおよび前記アバターの姿形を変更するアプリケーションであって、前記計算機が、コンピューター・ゲームまたはユーザが前記アバターをレンダリングあるいは使用することができる計算環境の外にある、アプリケーションと、
前記アバターおよび前記アバターの姿形に関するデーターを含み、前記アバター計算アプリケーションによってアクセス可能な記憶デバイスと、
を含む、アバター・システム。
【請求項１７】
請求項１６記載のシステムであって、更に、前記アバター計算アプリケーションと関連した前記環境をまたがって利用可能な複数のアクセサリー、感情表現、またはアニメーションのうち少なくとも１つを含み、前記記憶デバイスが、更に、前記アクセサリー、感情表現、またはアニメーションに関するデーターを含む、システム。
【請求項１８】
請求項１７記載のシステムにおいて、前記アバター計算アプリケーションの各々は、複数の計算機の中の異なる１つと関連付けられた、システム。
【請求項１９】
請求項１８記載のシステムにおいて、前記複数の計算機は、少なくとも１つのマルチメディア・コンソールと、少なくとも１つのウェブ対応計算機とを含む、システム。
【請求項２０】
請求項１６から１９のいずれかに記載のシステムであって、更に、前記アバターのための骨格構造を含み、該骨格構造が、前記アバター計算アプリケーションの各々による前記アバターのアニメーションのためのものである、システム。
【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
光学装置であって、
光源と、
粘弾性光ガイドであって、前記光源によって放射された光が、前記粘弾性光ガイドに入射し、かつ全内部反射によって前記光ガイド内で輸送される、粘弾性光ガイドと、
光を再帰反射するために好適な再帰反射フィルムと、を備え、
前記再帰反射フィルムは、
透明微小球の層と、
前記層の裏に配置された反射性材料と、を備え、
前記粘弾性光ガイドが、前記粘弾性光ガイド内で輸送される光が、前記光ガイドから抽出され、前記透明微小球によって再帰反射されるように、前記透明微小球の層の前に配置される、光学装置。
【請求項２】
光学装置であって、
光源と、
粘弾性光ガイドであって、前記光源によって放射された光が、前記粘弾性光ガイドに入射し、かつ全内部反射によって前記光ガイド内で輸送される、粘弾性光ガイドと、
再帰反射するために好適な再帰反射フィルムと、を備え、
前記再帰反射フィルムは、透明微小球の層を備え、前記層の裏に配置された反射性材料を備えず、
前記粘弾性光ガイドが、前記粘弾性光ガイド内で輸送される光が、前記光ガイドから抽出され、前記透明微小球によって再帰反射されるように、前記透明微小球の層の前に配置される、光学装置。